(57)【要約】【課題】モータ起動時の動作の信頼性に優れるサーモスイッチ付過負荷保護装置及び冷媒圧縮機を提供する。【解決手段】バイメタルスイッチ５１および加熱ヒータ５２を有する過負荷保護装置５０と、サーモスイッチ４１および補助正特性サーミスタ４２を有する補助正特性サーミスタ付サーモスイッチ４０と、を備え、サーモスイッチ４１は、熱応動するサーモスイッチ素子４１ａと、サーモスイッチ素子４１ａを収容するとともにサーモスイッチ素子４１ａの電極を兼ねた金属ケース８０と、を有し、補助正特性サーミスタ４２は、金属ケース８０の近傍に配設され、過負荷保護装置５０の樹脂ケース５５と、補助正特性サーミスタ付サーモスイッチ４０の樹脂ケース４６とが、一体に形成される。【選択図】図２
2015035904.tif 000002
【特許請求の範囲】
【請求項１】
モータの電源線に直列に配設されるバイメタルスイッチおよび加熱ヒータを有する過負荷保護装置と、
前記モータの起動用の正特性サーミスタと直列に接続し、前記正特性サーミスタに流れる電流を前記モータの起動後に遮断するサーモスイッチおよび前記正特性サーミスタと前記サーモスイッチの直列回路と並列に接続するサーモスイッチ作動用正特性サーミスタを有するサーミスタ付サーモスイッチと、を備え、
前記サーモスイッチは、熱応動するサーモスイッチ素子と、該サーモスイッチ素子を収容するとともに該サーモスイッチ素子の電極を兼ねた金属ケースと、を有し、
前記サーモスイッチ作動用正特性サーミスタは、前記金属ケースの近傍に配設され、
前記過負荷保護装置の樹脂ケースと、前記サーミスタ付サーモスイッチの樹脂ケースとが、一体に形成される
ことを特徴とするサーモスイッチ付過負荷保護装置。
【請求項２】
前記サーモスイッチを挟むように、前記サーモスイッチ作動用正特性サーミスタと前記加熱ヒータが配置され、
前記サーモスイッチの前記サーモスイッチ素子と前記サーモスイッチ作動用正特性サーミスタが熱結合するとともに、前記サーモスイッチの前記サーモスイッチ素子と前記加熱ヒータが熱結合する
ことを特徴とする請求項１に記載のサーモスイッチ付過負荷保護装置。
【請求項３】
前記モータは、冷媒圧縮機の圧縮要素を駆動する電動要素であり、
前記サーモスイッチ付過負荷保護装置は、前記冷媒圧縮機の外殻に取り付けられ、
前記サーモスイッチが前記正特性サーミスタに流れる電流を遮断した後に再び通電可能に復帰する際のオン復帰動作温度は、前記冷媒圧縮機の運転時における前記外殻の温度よりも高くなるように設定されている
ことを特徴とする請求項１に記載のサーモスイッチ付過負荷保護装置。
【請求項４】
前記サーモスイッチのオン復帰動作時期は、前記バイメタルスイッチが前記加熱ヒータによる熱応動で前記電源線に流れる電流を遮断した後に再び通電可能に復帰するオン復帰動作時期よりも早くなるように設定されている
ことを特徴とする請求項１に記載のサーモスイッチ付過負荷保護装置。
【請求項５】
請求項１乃至請求項４のいずれか１項に記載のサーモスイッチ付過負荷保護装置を備えるモータを搭載したことを特徴とする冷媒圧縮機。
【発明の詳細な説明】
【技術分野】
【０００１】
本発明は、モータに使用されるサーモスイッチ付過負荷保護装置及び該サーモスイッチ付過負荷保護装置を備えるモータを搭載する冷媒圧縮機に関する。
【背景技術】
【０００２】
従来、冷媒圧縮機のモータを起動させる補助装置としては、正特性（ＰＴＣ；Positive Temperature Coefficient）サーミスタが知られている。正特性サーミスタを用いたモータの起動回路について、図１０を用いて説明する。図１０は、従来のモータの起動回路１０１を示す回路図である。
【０００３】
この起動回路１０１は、正特性サーミスタ１２１を単相誘導電動機であるモータ１１１の起動巻線（補助巻線）Ｓに直列に接続し、この起動巻線Ｓと運転巻線（主巻線）Ｍとの共通端子Ｃに過負荷保護装置１５０を接続している。
【０００４】
このような起動回路１０１においては、モータ１１１を起動させる際に、単相交流電源１６０から正特性サーミスタ１２１を介して起動巻線Ｓに電力が供給される。その後、正特性サーミスタ１２１はその通電により発熱することで、内部抵抗が上昇していく。そして、モータ１１１の起動後、正特性サーミスタ１２１の内部抵抗が上昇することで起動巻線Ｓを流れる電流は小さくなっていく。その一方で、モータ１１１は、単相交流電源１６０から運転巻線Ｍに電力が供給されることにより定常状態で運転されることとなる。なお、過負荷保護装置１５０は、モータ１１１がオーバーロードの状態になると、加熱ヒータ１５２の熱でバイメタルスイッチ１５１が開くことでモータ１１１を停止するようになっている。
【０００５】
しかしながら、このような起動回路１０１においては、モータ１１１の起動後の定常運転時においても、正特性サーミスタ１２１の発熱により数ワット（Ｗ）の電力が無駄に消費されることとなる。そこで、従来、モータの起動後に正特性サーミスタで消費される無駄な電力を削減する方法が開示されている（例えば、特許文献１〜３参照）。
【０００６】
特許文献１（特開２００６−６０９９２号公報）には、モータの起動時に動作する補助コイル（補助巻線）とモータの定常回転駆動を行う主コイル（主巻線）とを備えたモータ駆動回路に組み込まれる単相誘導モータの起動回路であって、前記補助コイルに直列に接続されるモータ起動用正特性サーミスタおよびトライアックと、前記モータ起動用正特性サーミスタに並列に接続されるとともに、その一方の端子が前記トライアックのゲート端子に接続されるトライアック制御用正特性サーミスタとを備える単相誘導モータの起動回路が開示されている。
【０００７】
この単相誘導モータの起動回路によれば、モータの起動後に、トライアック制御用正特性サーミスタによってオフされたトライアックがモータ起動用正特性サーミスタへの電流を遮断するようになっている。その結果、この単相誘導モータの起動回路によれば、モータの起動後におけるモータ起動用正特性サーミスタの電力消費を低減することができる。
【０００８】
また、特許文献２（特公昭６１−３２９１６号公報）には、補助巻線回路に設けた正特性サーミスタのスイッチ作用によりモータの補助巻線に起動電流を流すとともに上記モータに流れる過電流をオーバロードリレー（過負荷保護装置）により遮断するモータ起動装置において、補助巻線回路に上記起動電流を遮断するバイメタルスイッチ（サーモスイッチ）を設け、上記バイメタルスイッチがモータの起動完了時には正特性サーミスタと上記オーバロードリレーのバイメタルを加熱する加熱ヒータの双方の熱を受けてオフとなり、モータの起動完了後は上記加熱ヒータの熱でオフを維持するようにしたことを特徴とするモータ起動装置が開示されている。
【０００９】
このモータ起動装置によれば、正特性サーミスタとオーバロードリレー（過負荷保護装置）をユニット化し、オーバロードリレー（過負荷保護装置）を構成する加熱ヒータの熱によってバイメタルスイッチ（サーモスイッチ）が開いてモータへの起動電流が遮断されるようになっている。そして、起動電流が遮断されることで正特性サーミスタの発熱が中断された後は、加熱ヒータの熱でサーモスイッチのオフ状態が維持されるようになっている。
【００１０】
また、特許文献３（特開２０１３−３０３１９号公報）には、モータの電源線に直列に配設されるバイメタルスイッチ及び加熱ヒータを樹脂ケース内に収容して構成される過負荷保護装置と、前記加熱ヒータによる熱応動で、モータ起動用の正特性サーミスタに流れる電流をモータの起動後に遮断するサーモスイッチと、を有するサーモスイッチ付過負荷保護装置であって、前記サーモスイッチは、熱応動するサーモスイッチ素子と、このサーモスイッチ素子を収容する金属ケースと、を備え、前記過負荷保護装置と前記サーモスイッチとが一体となるように形成されると共に、前記加熱ヒータと前記サーモスイッチ素子とが前記樹脂ケース及び前記金属ケースを介して熱的に接続されていることを特徴とするサーモスイッチ付過負荷保護装置が開示されている。
【００１１】
このサーモスイッチ付過負荷保護装置によれば、過負荷保護装置の加熱ヒータによる熱応動でサーモスイッチ素子が開いてモータへの起動電流が遮断されるようになっている。
【先行技術文献】
【特許文献】
【００１２】
【特許文献１】特開２００６−６０９９２号公報
【特許文献２】特公昭６１−３２９１６号公報
【特許文献３】特開２０１３−３０３１９号公報
【発明の概要】
【発明が解決しようとする課題】
【００１３】
しかしながら、特許文献１で開示された単相誘導モータの起動回路では、トライアックが雷等のサージ電流に弱いため、これによりトライアックがオフ状態になるとモータを起動することができない。そのため、この単相誘導モータの起動回路は、モータ起動時の信頼性が不充分となる。
【００１４】
また、特許文献２で開示されたモータ起動装置は、正特性サーミスタとオーバロードリレー（過負荷保護装置）をユニット化するために大型化するとともに、正特性サーミスタの発生する熱がオーバロードリレー（過負荷保護装置）を構成するバイメタルに影響するためにオーバロードリレー（過負荷保護装置）が誤動作するおそれがある。
【００１５】
また、特許文献３で開示されたサーモスイッチ付き過負荷保護装置は、過負荷保護装置の加熱ヒータの熱が樹脂ケースを介してサーモスイッチに伝熱するため、オフ動作時間が長くなるおそれがあった。また、過負荷保護装置とサーモスイッチとの組み付けが不十分であると、サーモスイッチの熱的動作が不確実となるおそれがある。このため、サーモスイッチの熱的動作の確実性が向上することが望ましい。
【００１６】
そこで、本発明は、モータ起動時の動作の信頼性に優れるサーモスイッチ付過負荷保護装置及び該サーモスイッチ付過負荷保護装置を備えるモータを搭載する冷媒圧縮機を提供することを課題とする。
【課題を解決するための手段】
【００１７】
このような課題を解決するために、本発明は、モータの電源線に直列に配設されるバイメタルスイッチおよび加熱ヒータを有する過負荷保護装置と、前記モータの起動用の正特性サーミスタと直列に接続し、前記正特性サーミスタに流れる電流を前記モータの起動後に遮断するサーモスイッチおよび前記正特性サーミスタと前記サーモスイッチの直列回路と並列に接続するサーモスイッチ作動用正特性サーミスタを有するサーミスタ付サーモスイッチと、を備え、前記サーモスイッチは、熱応動するサーモスイッチ素子と、該サーモスイッチ素子を収容するとともに該サーモスイッチ素子の電極を兼ねた金属ケースと、を有し、前記サーモスイッチ作動用正特性サーミスタは、前記金属ケースの近傍に配設され、前記過負荷保護装置の樹脂ケースと、前記サーミスタ付サーモスイッチの樹脂ケースとが、一体に形成されることを特徴とするサーモスイッチ付過負荷保護装置である。
【００１８】
また、本発明は、前記サーモスイッチ付過負荷保護装置を備えるモータを搭載したことを特徴とする冷媒圧縮機である。
【発明の効果】
【００１９】
本発明によれば、モータ起動時の動作の信頼性に優れるサーモスイッチ付過負荷保護装置及び該サーモスイッチ付過負荷保護装置を備えるモータを搭載する冷媒圧縮機を提供することができる。
【図面の簡単な説明】
【００２０】
【図１】本実施形態に係るサーモスイッチ付過負荷保護装置を備える冷媒圧縮機の斜視図である。
【図２】本実施形態に係るサーモスイッチ付過負荷保護装置を有するモータの起動回路を示す回路図である。
【図３】本実施形態に係るサーモスイッチ付過負荷保護装置の外観斜視図である。
【図４】本実施形態に係るサーモスイッチ付過負荷保護装置の分解斜視図である。
【図５】（ａ）は過負荷保護装置からケースの蓋体を除いて上方からその内部を見下ろした様子を示す内部構成説明図であり、（ｂ）は図５（ａ）に示す過負荷保護装置からさらに可動接点板およびバイメタルスイッチを除いて上方からその内部を見下ろした様子を示す内部構成説明図である。
【図６】（ａ）は図３のVIａ−VIａ断面図であり、（ｂ）は図３のVIｂ−VIｂ断面図である。
【図７】（ａ）は補助正特性サーミスタ付サーモスイッチの外観を示す斜視図であり、（ｂ）は補助正特性サーミスタ付サーモスイッチからケースを除いてその内部の様子を示す内部構成説明図である。
【図８】補助正特性サーミスタ付サーモスイッチからケースを除いて下方からその内部を見上げた様子を示す内部構成説明図である。
【図９】図８のIVｃ−IVｃ断面図である。
【図１０】従来のモータの起動回路を示す回路図である。
【発明を実施するための形態】
【００２１】
以下、本発明を実施するための形態（以下「実施形態」という）について、適宜図面を参照しながら詳細に説明する。なお、各図において、共通する部分には同一の符号を付し重複した説明を省略する。なお、以下の説明における上下前後左右の方向については、図１に示す上下前後左右の方向を基準とする。
【００２２】
≪冷媒圧縮機１０≫
本実施形態に係るサーモスイッチ付過負荷保護装置３０を備える冷媒圧縮機１０について図１を用いて説明する。図１は、本実施形態に係るサーモスイッチ付過負荷保護装置３０を備える冷媒圧縮機１０の斜視図であり、冷媒圧縮機１０から正特性サーミスタモジュール２０およびサーモスイッチ付過負荷保護装置３０を分離した状態を示す斜視図である。
【００２３】
図１に示すように、本実施形態に係る密閉型の冷媒圧縮機１０（以下、単に「圧縮機１０」と称する。）は、冷媒を圧縮する圧縮要素（図示せず）と、圧縮要素を駆動する電動要素（図示せず）と、圧縮要素および電動要素を収納する密閉容器（外殻）１２と、密閉容器１２の側面に設けられた気密端子１３と、気密端子１３に取り付けられる正特性サーミスタモジュール２０と、気密端子１３に取り付けられるサーモスイッチ付過負荷保護装置３０と、を備えている。
【００２４】
圧縮要素は、例えば、圧縮機１０が往復式圧縮機（レシプロ圧縮機）である場合には、電動要素からの回転運動をピストン（図示せず）の往復運動に変換し、シリンダ（図示せず）内の冷媒を圧縮して吐出することができるようになっている。電動要素は、後述する単相誘導電動機であるモータ１１（図２参照）で構成されている。このモータ１１（電動要素）が圧縮要素を駆動することで、例えば、冷蔵庫、エアコン等の冷凍サイクルの低圧側から戻ってきた冷媒を冷凍サイクルの高圧側に吐出するように構成されている。ちなみに、本実施形態に係る圧縮機１０は、モータ１１（図２参照）の起動回路１（図２参照）にサーモスイッチ付過負荷保護装置３０を有する点を除けば、周知の密閉型の圧縮機と同様の構成となっているので、その詳細な説明は省略する。
【００２５】
密閉容器１２の側面に設けられた気密端子１３は、３つのピン端子Ｔｍ、ピン端子Ｔｓおよびピン端子Ｔｃを有している。なお、ピン端子Ｔｍはモータ１１（図２参照）の運転巻線（主巻線）Ｍ（図２参照）の一端と電気的に接続された端子であり、ピン端子Ｔｓはモータ１１（図２参照）の起動巻線（補助巻線）Ｓ（図２参照）の一端と電気的に接続された端子であり、ピン端子Ｔｃは運転巻線（主巻線）Ｍの他端および起動巻線（補助巻線）Ｓの他端と電気的に接続された共通端子である。
【００２６】
モータ１１（図２参照）の起動用の正特性サーミスタ２１（図２参照）を備える正特性サーミスタモジュール２０は、ピン端子Ｔｍと接続されるソケット端子２２（図１において図示せず、図２参照）と、ピン端子Ｔｓと接続されるソケット端子２３（図１において図示せず、図２参照）と、タブ端子２４〜２６と、を有している。なお、各端子の電気的な接続関係は、図２を用いて後述する。
【００２７】
サーモスイッチ付過負荷保護装置３０は、補助正特性サーミスタ付サーモスイッチ４０と、過負荷保護装置５０とが、一体となるように形成されている。補助正特性サーミスタ付サーモスイッチ４０は、タブ端子４３〜４５を有している。過負荷保護装置５０は、ピン端子Ｔｃと接続されるソケット端子５３と、タブ端子５４と、を有している。なお、各端子の電気的な接続関係は、図２を用いて後述する。
【００２８】
図１の一点鎖線で示すように、正特性サーミスタモジュール２０は、ソケット端子２２，２３（図１において図示せず、図２参照）をピン端子Ｔｍ，Ｔｓに接続することにより圧縮機１０に取り付けられるようになっている。また、サーモスイッチ付過負荷保護装置３０は、過負荷保護装置５０のソケット端子５３をピン端子Ｔｃに接続することにより圧縮機１０に取り付けられるようになっている。ちなみに、正特性サーミスタ２１（図２参照）は正特性サーミスタモジュール２０に設けられており、図１に示すように、正特性サーミスタモジュール２０は、過負荷保護装置５０と分離して形成されているとともに、補助正特性サーミスタ付サーモスイッチ４０とも分離して形成されている。
【００２９】
≪モータ１１の起動回路１≫
次に、圧縮機１０の電動要素であるモータ１１の起動回路１について図２を用いて説明する。図２は、本実施形態に係るサーモスイッチ付過負荷保護装置３０を有するモータ１１の起動回路１を示す回路図である。
【００３０】
モータ１１の起動回路１は、モータ１１の運転巻線（主巻線）Ｍおよび起動巻線（補助巻線）Ｓと、正特性サーミスタモジュール２０の正特性サーミスタ２１と、補助正特性サーミスタ付サーモスイッチ４０のサーモスイッチ４１および補助正特性サーミスタ（サーモスイッチ作動用正特性サーミスタ）４２と、過負荷保護装置５０のバイメタルスイッチ５１および加熱ヒータ５２と、単相交流電源６０と、運転スイッチ４と、を備えて構成され、電源線５，６，６ａ，６ｂおよび接続配線７，８で接続されている。
【００３１】
単相誘導電動機であるモータ１１は、図２に示すように、運転巻線（主巻線）Ｍと、起動巻線（補助巻線）Ｓと、を有している。運転巻線Ｍは、一端がピン端子Ｔｍと電気的に接続され、他端が共通端子であるピン端子Ｔｃと電気的に接続されている。また、起動巻線Ｓは、一端がピン端子Ｔｓと電気的に接続され、他端が共通端子であるピン端子Ｔｃと電気的に接続されている。
【００３２】
正特性サーミスタモジュール２０は、モータ１１の起動用の正特性サーミスタ２１と、ピン端子Ｔｍと電気的に接続されるソケット端子２２と、ピン端子Ｔｓと電気的に接続されるソケット端子２３と、タブ端子２４〜２６と、を有している。ソケット端子２２は、タブ端子２４と電気的に接続されている。ソケット端子２３は、タブ端子２５および正特性サーミスタ２１の一端と電気的に接続されている。正特性サーミスタ２１の他端は、タブ端子２６と電気的に接続されている。
【００３３】
補助正特性サーミスタ付サーモスイッチ４０は、サーモスイッチ４１と、補助正特性サーミスタ４２と、タブ端子４３〜４５と、を有している。サーモスイッチ４１は、一端がタブ端子４３と電気的に接続され、他端がタブ端子４４と電気的に接続されている。補助正特性サーミスタ４２は、一端がタブ端子４３と電気的に接続され、他端がタブ端子４５と電気的に接続されている。
【００３４】
過負荷保護装置５０は、バイメタルスイッチ５１と、加熱ヒータ５２と、ピン端子Ｔｃと電気的に接続されるソケット端子５３と、タブ端子５４と、を有している。ソケット端子５３は、バイメタルスイッチ５１の一端と電気的に接続されている。バイメタルスイッチ５１の他端は、加熱ヒータ５２の一端と電気的に接続されている。加熱ヒータ５２の他端は、タブ端子５４と電気的に接続されている。
【００３５】
単相交流電源６０は、例えば、１００Ｖの単相交流電源（商用電源）であり、電源端子２および電源端子３と電気的に接続されている。
【００３６】
電源端子２は、運転スイッチ４を介して電源線５の一端と接続されている。電源線５の他端は、過負荷保護装置５０のタブ端子５４と電気的に接続されている。なお、運転スイッチ４は、図示しない制御装置によってオン／オフされる。例えば、圧縮機１０（図１参照）が冷蔵庫に使用される場合、制御装置（図示せず）は、庫内の温度が所定の上限温度以上になると運転スイッチ４をオンし、庫内の温度が所定の下限温度以下になると運転スイッチ４をオフするようになっている。
【００３７】
電源端子３は、電源線６の一端と接続されている。電源線６の他端は電源線６ａおよび電源線６ｂに分岐し、電源線６ａの端部は補助正特性サーミスタ付サーモスイッチ４０のタブ端子４３と電気的に接続され、電源線６ｂの端部は正特性サーミスタモジュール２０のタブ端子２４と電気的に接続されている。
【００３８】
また、補助正特性サーミスタ付サーモスイッチ４０のタブ端子４４は、接続配線７を介して、正特性サーミスタモジュール２０のタブ端子２６と電気的に接続されている。また、補助正特性サーミスタ付サーモスイッチ４０のタブ端子４５は、接続配線８を介して、正特性サーミスタモジュール２０のタブ端子２５と電気的に接続されている。
【００３９】
以上のように接続されることにより、運転巻線Ｍおよび起動巻線Ｓの共通端子であるピン端子Ｔｃは、直列に接続されたバイメタルスイッチ５１および加熱ヒータ５２を介して、電源線５（電源端子２）に接続されている。
また、起動巻線Ｓのピン端子Ｔｓは、直列に接続された正特性サーミスタ２１およびサーモスイッチ４１を介して、電源線６（電源線６ａ、電源端子３）に接続されている。また、補助正特性サーミスタ４２は、直列に接続された正特性サーミスタ２１およびサーモスイッチ４１の直列回路と並列に接続されている。
また、運転巻線Ｍのピン端子Ｔｍは、電源線６（電源線６ｂ、電源端子３）に接続されている。
【００４０】
次に、モータ１１の起動回路１を構成する正特性サーミスタ２１、サーモスイッチ４１、補助正特性サーミスタ４２、バイメタルスイッチ５１および加熱ヒータ５２についてさらに説明する。
【００４１】
＜正特性サーミスタ２１、補助正特性サーミスタ４２＞
正特性サーミスタ２１および補助正特性サーミスタ４２としては、例えば、チタン酸バリウム（ＢａＴｉＯ3 ）を主成分とした酸化物半導体セラミックで構成されているものを使用することができる。正特性サーミスタ２１および補助正特性サーミスタ４２は、キュリー温度を有し、電気抵抗値がこのキュリー温度から急激に増大する特性を有する。
【００４２】
本実施形態での正特性サーミスタ２１としては、例えば、常温（２５℃前後）では５Ω程度、１２０℃では０．１ｋΩ程度、１４０℃では１ｋΩ〜１０ｋΩ程度のものを好適に使用することができる。
また、本実施形態での補助正特性サーミスタ４２としては、正特性サーミスタ２１と同様な抵抗値を有するが、１／３〜１／１０の消費電力となるように、熱容量が１／３〜１／１０（より好ましくは１／６）に設定されている。
【００４３】
＜バイメタルスイッチ５１、加熱ヒータ５２＞
バイメタルスイッチ５１は、常閉形のバイメタルスイッチである。加熱ヒータ５２は、抵抗発熱式のヒータであり、バイメタルスイッチ５１を加熱することができるように組み立てられている。このようなバイメタルスイッチ５１および加熱ヒータ５２から構成される過負荷保護装置５０は、単相交流電源６０によるモータ１１の運転中に、モータ１１に過負荷が掛かると、加熱ヒータ５２に流れる電流が増大して発熱量が増加し、バイメタルスイッチ５１が所定の温度（バイメタルスイッチオフ動作温度）まで加熱されることにより、バイメタルスイッチ５１が開いて電流を遮断するようになっている。その結果、モータ１１は、過負荷状態での運転を避けることができる。
【００４４】
その後、電流の遮断によって加熱ヒータ５２の発熱が停止し、自然放熱によりバイメタルスイッチ５１が所定の温度（バイメタルスイッチオン復帰動作温度）まで低下すると、バイメタルスイッチ５１が自動復帰して通電を再開することができる状態になっている。つまり、モータ１１の運転が再開可能な状態となる。なお、運転スイッチ４を制御する制御装置（図示せず）は、モータ１１への電流を監視し、バイメタルスイッチ５１が開いて電流が遮断された際には、運転スイッチ４をオフとし、所定の再起動待機時間経過後に運転スイッチ４をオンとするようになっている。なお、再起動待機時間は、熱容量が大きくモータ１１の起動が可能となる内部抵抗に戻るまでに比較的時間を要する正特性サーミスタ２１の復帰時間を目安に設定されている。
【００４５】
＜サーモスイッチ４１＞
サーモスイッチ４１は、後述する図９に示すように、常閉形のスナップアクションバイメタルのサーモスイッチ素子４１ａで構成され、補助正特性サーミスタ４２に接して組み立てられている。この補助正特性サーミスタ４２は通電されることにより自己発熱するので、サーモスイッチ４１を加熱しサーモスイッチ４１をオフ動作させる作用を有する。また、図１（および後述する図６）に示すように、補助正特性サーミスタ付サーモスイッチ４０と過負荷保護装置５０とが、一体となるように組み立てられているために、過負荷保護装置５０の加熱ヒータ５２の熱が補助正特性サーミスタ付サーモスイッチ４０のサーモスイッチ４１に熱伝導するので、サーモスイッチ４１のオフ動作を速める作用を有する。
【００４６】
また、サーモスイッチ４１のサーモスイッチ素子４１ａ（図９参照）は、所定の温度でスナップ動作するように湾曲した形状を呈している。これにより、サーモスイッチ４１は、加熱されオフ動作温度となるとオフ動作して正特性サーミスタ２１への通電を遮断し、放熱してオン復帰動作温度となるとオン復帰動作して正特性サーミスタ２１への通電を可能とする。ちなみに、オフ動作温度は、オン復帰動作温度よりも高い温度となっている。
【００４７】
このようなサーモスイッチ４１のサーモスイッチ素子４１ａ（図９参照）は、スナップ動作の繰り返しによる疲労を低減し長寿命化を図るために、オフ動作温度とオン復帰動作温度の差を小さく設定することが望ましい。また、サーモスイッチ素子４１ａの湾曲の曲率は、所定のオフ動作温度およびオン復帰動作温度を設定することができる範囲で、可能な限り小さい方が、寿命が長くなるので望ましい。具体的には、オフ動作温度とオン復帰動作温度の差が５℃以内となるように設定することが望ましい。このように、オフ動作温度とオン復帰動作温度の差を小さく設定（５℃以内）することにより、サーモスイッチ素子４１ａの湾曲の曲率を小さくすることができ、サーモスイッチ４１のスナップ動作の疲労寿命を延ばすことができる。
【００４８】
また、オフ動作温度とオン復帰動作温度の差が小さすぎると、オフ動作温度およびオン復帰動作温度の付近で温度が変動した際、サーモスイッチ４１がオフ動作とオン復帰動作を繰り返して（ハンチング）、疲労を蓄積するおそれがある。このため、オフ動作温度とオン復帰動作温度の差を設定して、ハンチングを防止することが望ましい。
【００４９】
また、サーモスイッチ４１のオン復帰動作温度は、補助正特性サーミスタ付サーモスイッチ４０が取り付けられる密閉容器１２の側面（圧縮機１０の外殻）の温度、具体的には、圧縮機１０の定常運転時における密閉容器１２の側面の温度よりも高い温度となるように設定されることが望ましい。つまり、熱容量の大きい圧縮機１０の密閉容器１２の温度よりもサーモスイッチ４１のオン復帰動作温度を高く設定することによって、サーモスイッチ４１が自然放熱で、より早く温度が下降するので、サーモスイッチ４１のオン復帰動作時間を短縮することができる。なお、サーモスイッチ４１のオン復帰動作時間とは、過負荷保護装置５０のバイメタルスイッチ５１を開いてから（モータ１１が過負荷により停止してから）サーモスイッチ４１がオン復帰動作するまでの時間である。サーモスイッチ４１のオン復帰動作時間を短縮することにより、モータ１１を再始動する前にサーモスイッチ４１がオン復帰動作され、モータ１１を再始動する際、あらかじめサーモスイッチ４１がオン復帰されているので正特性サーミスタ２１に通電してモータ１１を再始動することができる。
【００５０】
また、サーモスイッチ４１のオン復帰動作タイミング（オン復帰動作時期）は、過負荷保護装置５０のバイメタルスイッチ５１のオン復帰動作タイミング（オン復帰動作時期）よりも早くなるように設定されていることが望ましい。換言すれば、サーモスイッチ４１のオン復帰動作時間は、過負荷保護装置５０のバイメタルスイッチ５１のオン復帰動作時間よりも短くなるように設定されていることが望ましい。なお、バイメタルスイッチ５１のオン復帰動作時間とは、バイメタルスイッチ５１を開いてから（モータ１１が過負荷により停止してから）バイメタルスイッチ５１が自動復帰するまでの時間である。これにより、バイメタルスイッチ５１が自動復帰するタイミングよりも前に、サーモスイッチ４１をオン復帰動作させることができる。バイメタルスイッチ５１が自動復帰してモータ１１を再始動する際、あらかじめサーモスイッチ４１がオン復帰されているので正特性サーミスタ２１に通電してモータ１１を再始動することができる。
【００５１】
また、サーモスイッチ４１のオン復帰動作温度は、過負荷保護装置５０のバイメタルスイッチ５１のオン復帰動作温度よりも高くなるように設定されていることが望ましい。これにより、バイメタルスイッチ５１が自動復帰するタイミングよりも前に、サーモスイッチ４１をオン復帰動作させることができる。バイメタルスイッチ５１が自動復帰してモータ１１を再始動する際、あらかじめサーモスイッチ４１がオン復帰されているので正特性サーミスタ２１に通電してモータ１１を再始動することができる。
【００５２】
また、サーモスイッチ４１のオン復帰動作タイミング（オン復帰動作時期）は、正特性サーミスタ２１の復帰タイミング（復帰時期）よりも早くなるように設定されていることが望ましい。なお、正特性サーミスタ２１の復帰タイミング（復帰時期）とは、正特性サーミスタ２１の内部抵抗がモータ１１の起動が可能となる内部抵抗に戻るタイミングである。換言すれば、サーモスイッチ４１のオン復帰動作時間は、正特性サーミスタ２１の復帰時間よりも短くなるように設定されていることが望ましい。なお、正特性サーミスタ２１の復帰時間とは、バイメタルスイッチ５１を開いてから（モータ１１が過負荷により停止してから）モータ１１の起動が可能となる内部抵抗に戻るまでの時間である。モータ１１の再起動時、運転スイッチ４を制御する制御装置（図示せず）は、熱容量が大きくモータ１１の起動が可能となる内部抵抗に戻るまでに比較的時間を要する正特性サーミスタ２１の復帰時間を目安に運転スイッチ４をオンとして、モータ１１を再起動させるが、あらかじめサーモスイッチ４１がオン復帰されているので正特性サーミスタ２１に通電してモータ１１を再始動することができる。
【００５３】
≪サーモスイッチ付過負荷保護装置３０の構造≫
次に、本実施形態に係るサーモスイッチ付過負荷保護装置３０について図３から図９を用いてさらに具体的に説明する。図３は、本実施形態に係るサーモスイッチ付過負荷保護装置３０の外観を示す斜視図である。図４は、本実施形態に係るサーモスイッチ付過負荷保護装置３０の分解斜視図である。図５（ａ）は、過負荷保護装置５０からケース５５の蓋体５５ｂを除いて上方からその内部を見下ろした様子を示す内部構成説明図であり、図５（ｂ）は、図５（ａ）に示す過負荷保護装置５０からさらに可動接点板７２およびバイメタルスイッチ５１を除いて上方からその内部を見下ろした様子を示す内部構成説明図である。図６（ａ）は、図３のVIａ−VIａ断面図であり、図６（ｂ）は、図３のVIｂ−VIｂ断面図である。図７（ａ）は、補助正特性サーミスタ付サーモスイッチ４０の外観を示す斜視図であり、図７（ｂ）は、補助正特性サーミスタ付サーモスイッチ４０からケース４６（ケース本体４６ａ、蓋体４６ｂ）を除いてその内部の様子を示す内部構成説明図である。図８は、補助正特性サーミスタ付サーモスイッチ４０からケース４６（ケース本体４６ａ、蓋体４６ｂ）を除いて下方からその内部を見上げた様子を示す内部構成説明図である。図９は、図８のIVｃ−IVｃ断面図であり、補助正特性サーミスタ付サーモスイッチ４０の要部断面を示す図である。
【００５４】
図３および図４に示すように、サーモスイッチ付過負荷保護装置３０は、別々の工程で作製された補助正特性サーミスタ付サーモスイッチ４０と過負荷保護装置５０を一体となるように組み合わせたものである。
【００５５】
図４に示すように、補助正特性サーミスタ付サーモスイッチ４０は、電気絶縁性の合成樹脂からなるケース（樹脂ケース）４６でハウジングが形成されている。このケース４６は、ケース本体４６ａおよび蓋体４６ｂで構成されている。また、ケース本体４６ａの左右の側面には支持腕４７が設けられており、さらにこの支持腕４７の内側に係合孔４７ａが設けられている。
【００５６】
一方、過負荷保護装置５０は、電気絶縁性の合成樹脂からなるケース（樹脂ケース）５５でハウジングが形成されている。このケース５５は、ケース本体５５ａおよび蓋体５５ｂで構成されている。ケース本体５５ａの補助正特性サーミスタ付サーモスイッチ４０と向き合う側は、平坦部５５ｃが形成されており、この平坦部５５ｃに補助正特性サーミスタ付サーモスイッチ４０の蓋体４６ｂが接して組み立てられている（図３参照）。また、ケース本体５５ａの左右の側面には突起部５５ｄが設けられている。
【００５７】
過負荷保護装置５０の突起部５５ｄが補助正特性サーミスタ付サーモスイッチ４０の支持腕４７の係合孔４７ａに嵌ることにより、突起部５５ｄが支持腕４７と係合して、補助正特性サーミスタ付サーモスイッチ４０と過負荷保護装置５０が一体となるように組み立てられ、サーモスイッチ付過負荷保護装置３０を構成している（図３参照）。
【００５８】
このように、サーモスイッチ付過負荷保護装置３０は、過負荷保護装置５０の平坦部５５ｃに補助正特性サーミスタ付サーモスイッチ４０の蓋体４６ｂが接して組み立てられているため、過負荷保護装置５０の加熱ヒータ５２（図２参照）の熱は、ケース５５の平坦部５５ｃを介して補助正特性サーミスタ付サーモスイッチ４０のサーモスイッチ４１に伝熱されることとなる。つまり、加熱ヒータ５２とサーモスイッチ４１とは、ケース５５の平坦部５５ｃおよびケース４６の蓋体４６ｂを介して、熱的に接続（熱結合）されている。さらに、補助正特性サーミスタ付サーモスイッチ４０は、補助正特性サーミスタ４２を備えているので、この補助正特性サーミスタ４２の発熱でサーモスイッチ４１が加熱される。つまり、サーモスイッチ４１は、加熱ヒータ５２の発熱と補助正特性サーミスタ４２の発熱からの伝熱を受けて動作することになる。
【００５９】
次に、過負荷保護装置５０について、図３、図５および図６を用いてさらに説明する。
図３に示すように、蓋体５５ｂの上面には、この蓋体５５ｂに固定されたソケット端子５３が設けられている。このソケット端子５３には、圧縮機１０（図１参照）のピン端子Ｔｃが圧挿されるようになっている。過負荷保護装置５０は、このソケット端子５３を介してモータ１１（図２参照）の運転巻線Ｍ（図２参照）および起動巻線Ｓ（図２参照）と電気的に接続されるとともに、圧縮機１０に対して取り外し自在に支持されることとなる。
【００６０】
また、ケース５５の蓋体５５ｂの上面には、ケース５５内に配置された、次に説明する固定接点板７０（図５（ａ）参照）とソケット端子５３とを電気的に接続するためのリード部５６を有している。
【００６１】
図５に示すように、過負荷保護装置５０のケース５５（ケース本体５５ａ）の内部には、バイメタルスイッチ５１（図５（ａ）参照）と、加熱ヒータ５２（図５（ｂ）参照）と、固定接点７１（図５（ｂ）参照）が設けられた固定接点板７０（図５（ｂ）参照）と、可動接点７３（図５（ａ）において隠れ線（破線）で示す）が設けられた可動接点板７２（図５（ａ）参照）と、中継板７４（図５（ｂ）参照）と、ヒータ端子７５（図５（ｂ）参照）と、が配設されている。
【００６２】
図５（ａ）に示すように、可動接点板７２は、ケース５５の内部で左右方向に延在する細長で可撓性の長方形板体で形成され、略角丸長方形の皿形状のバイメタルスイッチ５１よりも上方（図５（ａ）の紙面手前側）に配置されている。
【００６３】
この可動接点板７２は、その一端側（図５（ａ）での右側）が、平面視で略Ｌ字状の中継板７４に支持されるとともに、その他端側（図５（ａ）での左側）が自由端となっている。そして、可動接点板７２の自由端には、その下面（図５（ａ）の紙面裏側の面）に可動接点７３（図５（ａ）中隠れ線（破線）で示す）が設けられている。
【００６４】
図５（ｂ）に示すように、固定接点板７０は、加熱ヒータ５２の左側に配置され、加熱ヒータ５２寄りに固定接点７１を有している。この固定接点板７０は、可動接点板７２（図５（ａ）参照）よりも下方（図５（ａ）の紙面裏側に向かう方向）に配置されており、固定接点７１（図５（ｂ）参照）と可動接点７３（図５（ａ）参照）とは当接し合うことで電気的に接触可能となっている。ちなみに、固定接点板７０は、図３に示すリード部５６と電気的に接続されている。
【００６５】
図５（ａ）に示すバイメタルスイッチ５１は、前記したように略角丸長方形の皿形状を成し常温では下方（図５（ａ）の紙面裏側に向かう方向）に凸となるように湾曲している。また、このバイメタルスイッチ５１は、図５（ｂ）に示す加熱ヒータ５２で所定の温度（バイメタルスイッチオフ動作温度）以上となるように加熱された際に、上方（図５（ａ）の紙面手前側に向かう方向）に凸となるようにスナップ動作を行って反転する。そして、バイメタルスイッチ５１は、このように反転した際に、図５（ａ）に示す可動接点板７２を上方（図５（ａ）の紙面手前側に向かう方向）に押し上げるようになっている。つまり、固定接点７１（図５（ｂ）参照）と可動接点７３（図５（ａ）参照）とが離間するようになっている。
【００６６】
また、図５（ａ）に示すバイメタルスイッチ５１は、所定の温度（バイメタルスイッチオン復帰動作温度）にまで低下すると、下方（図５（ａ）の紙面裏側に向かう方向）に凸となるように復元する。この際、固定接点７１と可動接点７３とは可動接点板７２の復元力によって再び当接し合うこととなる。
【００６７】
図５（ｂ）に示すように、加熱ヒータ５２は、コイル状に形成され、その両端が中継板７４とヒータ端子７５とに電気的に接続されている。この加熱ヒータ５２は、略ドーナツ状に形成されており、皿形状のバイメタルスイッチ５１（図５（ａ）参照）の外径よりもやや小さい外径となるように形成されることで、バイメタルスイッチ５１の裏側（図５（ａ）の紙面裏側）でこれに隠れるように配置されている。また、加熱ヒータ５２は、図６（ａ）および図６（ｂ）に示すように、ケース５５の平坦部５５ｃ（図４参照）寄りに配置され、補助正特性サーミスタ付サーモスイッチ４０（サーモスイッチ４１）に対する伝熱性を向上させている。
【００６８】
図５（ｂ）に示すように、ヒータ端子７５は、タブ端子５４と電気的に接続され、このタブ端子５４は、前記したように、運転スイッチ４（図２参照）を介して電源端子２（図２参照）と接続されている。
【００６９】
なお、図３、図５（ａ）および図５（ｂ）中の太線矢印は、過負荷保護装置５０のソケット端子５３からタブ端子５４までの電気的接続経路を示すものである。即ち、ソケット端子５３、リード部５６、固定接点板７０、固定接点７１、可動接点７３、可動接点板７２、中継板７４、加熱ヒータ５２、ヒータ端子７５およびタブ端子５４が、この順番で電気的に接続された直列回路が形成されることとなる。
【００７０】
次に、補助正特性サーミスタ付サーモスイッチ４０について、図６から図９を用いてさらに説明する。
図７（ａ）に示すように、補助正特性サーミスタ付サーモスイッチ４０は、電気絶縁性の合成樹脂からなるケース（樹脂ケース）４６でハウジングが形成されている。このケース４６は、ケース本体４６ａおよび蓋体４６ｂで構成されている。図６（ａ）および図６（ｂ）に示すように、サーモスイッチ４１および補助正特性サーミスタ４２は、蓋体４６ｂの側に支持されている。
【００７１】
図９に示すように、サーモスイッチ４１は、サーモスイッチ素子４１ａが金属ケース８０に収容されて構成されている。この金属ケース８０は、前後方向に長い略直方体の形状を呈しており、ケース本体８０ａおよび蓋体８０ｂで形成されている。ちなみに、ケース本体８０ａと蓋体８０ｂとは、相互に電気的に絶縁されて接合されている。具体的には、ケース本体８０ａに対して蓋体８０ｂは、可撓性の電気絶縁材８３を介して接合されている。図７（ｂ）および図８に示すように、ケース本体８０ａは、タブ端子４３と電気的に接続されている。また、図７（ｂ）、図８および図９に示すように、蓋体８０ｂは、タブ端子４４と電気的に接続されている。
【００７２】
図９に示すように、サーモスイッチ素子４１ａは、ケース本体８０ａにサーモスイッチ素子４１ａの後端が支持されるとともに、ケース本体８０ａと電気的に接続されている。そして、サーモスイッチ素子４１ａの前端は自由端となっており、この自由端には可動接点８１が設けられている。また、この可動接点８１と当接可能なように、蓋体８０ｂの内側には固定接点８２が設けられている。
【００７３】
サーモスイッチ素子４１ａは、前述したように、常閉形のスナップアクションバイメタルで構成され、補助正特性サーミスタ４２（図２参照）で加熱されて所定のオフ動作温度以上となった際に、スナップ動作を行って開くことで電流を遮断するようになっている。この時、過負荷保護装置５０（図２参照）の加熱ヒータ５２（図２参照）の発熱も加わるためサーモスイッチ素子４１ａの動作は確実なものとなる。
【００７４】
また、ケース本体８０ａの外側には、図９に示すように、補助正特性サーミスタ４２の一端が直に接して設置されている。なお、ケース本体８０ａと補助正特性サーミスタ４２の一端とは、好適な熱伝導性および電気伝導性を有する熱・電気伝導材８５（例えば、ハンダ）で接着されている。また、補助正特性サーミスタ４２の他端は、タブ端子４５と導通するバネ中継端子８４が当接している。
【００７５】
なお、図７（ｂ）および図９中の太線矢印９１〜９３は、タブ端子４３からタブ端子４４までの電気的接続経路、および、タブ端子４３からタブ端子４５までの電気的接続経路を示すものである。即ち、矢印９１から矢印９２に示すように、タブ端子４３、ケース本体８０ａ、サーモスイッチ素子４１ａ、可動接点８１、固定接点８２、蓋体８０ｂおよびタブ端子４４が、この順番で電気的に接続された直列回路が形成されることとなる。また、矢印９１から矢印９３に示すように、タブ端子４３、ケース本体８０ａ、熱・電気伝導材８５、補助正特性サーミスタ４２、バネ中継端子８４およびタブ端子４５が、この順番で電気的に接続された直列回路が形成されることとなる。
【００７６】
≪動作例≫
次に、本実施形態に係るサーモスイッチ付過負荷保護装置３０を備える圧縮機１０の動作について、主に図２を参照しながら説明する。ここで、ピン端子Ｔｍ，Ｔｓ，Ｔｃを介して正特性サーミスタ２１とサーモスイッチ付過負荷保護装置３０とが取り付けられた圧縮機１０（図１参照）は、図示しない凝縮器、減圧器、および蒸発器とともに冷凍サイクルを構成するものとする。
【００７７】
＜起動時＞
この冷凍サイクルが起動する際、制御装置（図示せず）は、運転スイッチ４をオンする。ここで、常閉形のサーモスイッチ４１がオンになっているため、単相交流電源６０から運転巻線Ｍおよび起動巻線Ｓに電力が供給される。ちなみに、図２に示す起動回路１は、抵抗分相起動方式により単相誘導電動機であるモータ１１を起動する起動回路であり、運転巻線Ｍよりも電気抵抗が大きい起動巻線Ｓの磁界の遅れを利用して固定子（図示せず）に回転磁界を発生させることにより、モータ１１を起動して回転子（図示せず）が回転する。そして、電動要素としてのモータ１１を有する圧縮機１０（図１参照）は、このようにモータ１１が起動することで、前述した圧縮要素（図示せず）が冷凍サイクルの高圧側に冷媒を吐出する。
【００７８】
＜起動後〜定常運転時＞
そして、起動後の正特性サーミスタ２１は、単相交流電源６０からの通電により自己発熱して高抵抗となる。その結果、正特性サーミスタ２１を介して起動巻線Ｓを流れる電流は次第に微弱となっていくとともに、モータ１１は、主に運転巻線Ｍに供給される電流によって回転する定常運転に移行する。
【００７９】
同時に、電源線６（６ａ）に接続された補助正特性サーミスタ４２にも単相交流電源６０からの電流が流れているので、補助正特性サーミスタ４２が自己発熱して高抵抗となる。その結果、補助正特性サーミスタ４２を介して起動巻線Ｓを流れる電流は次第に微弱となっていく。
【００８０】
補助正特性サーミスタ４２が自己発熱した熱は、図９に示す金属ケース８０（ケース本体８０ａ、蓋体８０ｂ）を介して伝熱し、金属ケース８０に収容されたサーモスイッチ素子４１ａを昇温させる。この時、サーモスタットの金属ケース８０（ケース本体８０ａ）は、補助正特性サーミスタ４２の一方の電極およびサーモスイッチ素子４１ａの固定端側の電極を兼ねるとともに、補助正特性サーミスタ４２とサーモスイッチ素子４１ａの熱結合に優れているため、サーモスイッチ素子４１ａの昇温のスピードを早める効果がある。
【００８１】
さらに、単相交流電源６０からの電流によって過負荷保護装置５０の加熱ヒータ５２が発熱すると、過負荷保護装置５０のケース５５（平坦部５５ｃ）を介して補助正特性サーミスタ付サーモスイッチ４０に伝熱し、サーモスイッチ４１（サーモスイッチ素子４１ａ）の昇温のスピードをより一層早める作用を有する。
【００８２】
このように、補助正特性サーミスタ付サーモスイッチ４０の補助正特性サーミスタ４２および過負荷保護装置５０の加熱ヒータ５２により加熱されるサーモスイッチ４１は、サーモスイッチ４１のオフ動作温度まで昇温することで開く。つまり、正特性サーミスタ２１に供給される電流は、モータ起動後に補助正特性サーミスタ付サーモスイッチ４０（サーモスイッチ４１）によって遮断され、正特性サーミスタ２１の消費する電力を削減する。ちなみに、サーモスイッチ４１のオフ動作温度は、過負荷保護装置５０のバイメタルスイッチ５１のオフ動作温度（バイメタルスイッチオフ動作温度）よりも低くなっており、バイメタルスイッチ５１はオン状態が維持されている。
【００８３】
そして、モータ１１の定常運転中においては、図２に示すように、サーモスイッチ４１および正特性サーミスタ２１の直列回路と電気的に並列に接続された補助正特性サーミスタ４２には電流が流れているので、補助正特性サーミスタ４２は自己発熱し続けており、この補助正特性サーミスタ４２の熱および加熱ヒータ５２の熱により、サーモスイッチ４１のオフ状態が維持される。なお、前述したように、補助正特性サーミスタ４２の消費電力は、正特性サーミスタ２１の消費電力と比較して、１／３〜１／１０となっている。
【００８４】
≪作用・効果≫
本実施形態に係るサーモスイッチ付過負荷保護装置３０および圧縮機１０の奏する作用効果について説明する。
【００８５】
本実施形態によれば、サーモスイッチ４１の電極を兼ねる金属ケース８０（ケース本体８０ａ）の近傍に補助正特性サーミスタ４２を配設されているので、自己発熱する補助正特性サーミスタ４２の熱が熱伝導性の優れる金属ケース８０（ケース本体８０ａ）を伝わってサーモスイッチ４１を昇温してサーモスイッチ４１を開くことができる。このため、サーモスイッチ４１の熱的動作の確実性を増すことができる。
【００８６】
本実施形態によれば、起動回路１の電流を遮断するために、例えば、特許文献１で開示された単相誘導モータの起動回路と異なって、雷等によるサージ電流に弱いトライアックを構成要素として必要としないので、モータ起動時の動作の信頼性に優れる。
【００８７】
また、本実施形態によれば、例えば、特許文献２で開示されたモータ起動装置のように正特性サーミスタとオーバロードリレー（過負荷保護装置）をユニット化したものと異なって、サーモスイッチ付過負荷保護装置３０は正特性サーミスタモジュール２０（正特性サーミスタ２１）と分離しているので、そのコンパクト化を達成することができる。
【００８８】
また、本実施形態によれば、サーモスイッチ付過負荷保護装置３０と正特性サーミスタモジュール２０（正特性サーミスタ２１）とが分離しているので、サーモスイッチ付過負荷保護装置３０の過負荷保護装置５０（バイメタルスイッチ５１）が正特性サーミスタ２１の熱で誤動作するおそれを低減することができる。
【００８９】
また、本実施形態によれば、サーモスイッチ付過負荷保護装置３０と、比較的に熱容量の大きい正特性サーミスタ２１とが分離しているので、圧縮機１０を再起動する場合、例えば特許文献２のように過電圧保護装置と正特性サーミスタとをユニット化したものと異なって、サーモスイッチ４１のオン復帰動作時間を短縮することができる。
【００９０】
また、本実施形態によれば、補助正特性サーミスタ４２の熱と加熱ヒータ５２の熱が伝熱して、サーモスイッチ４１を昇温するので、サーモスイッチ４１の応答性が良好となる。
【００９１】
また、本実施形態によれば、サーモスイッチ４１のオン復帰動作温度が、圧縮機１０の運転時（定常運転時）における密閉容器１２（外殻）の温度よりも高くなるように設定されているので、サーモスイッチ４１が単に自然放熱することで、より早く温度が下降する。その結果、本実施形態によれば、サーモスイッチ４１のオン復帰動作時間を短縮することができる。
【００９２】
また、本実施形態においては、サーモスイッチ４１のオン復帰動作時期は、バイメタルスイッチ５１のオン復帰動作時期よりも早くなるように設定されている。そのため、本実施形態によれば、過負荷保護装置５０のバイメタルスイッチ５１がオフ動作し、再びオン復帰動作を行って回路に通電される際に、既にサーモスイッチ４１がオン復帰していることとなる。その結果、バイメタルスイッチ５１がオン復帰してモータ１１を起動できる状態になっている場合には、あらかじめ正特性サーミスタ２１に通電できる状態となっている。したがって、バイメタルスイッチ５１がオン復帰しているにも関わらずモータ１１を起動できない事態を回避することができる。
【００９３】
また、本実施形態によれば、正特性サーミスタ２１の復帰時期よりも、サーモスイッチ４１のオン復帰動作時期が早くなるように設定されているので、正特性サーミスタ２１が復帰しているにも関わらず、サーモスイッチ４１がオン復帰動作しないことでモータ１１を起動できない事態を回避することができる。
【００９４】
また、本実施形態によれば、サーモスイッチ４１のオフ動作温度とオン復帰温度との差が５℃以内となるように設定されているので、サーモスイッチ４１の復帰時間を短縮化することができるとともに、スナップ動作の繰り返しによる疲労を低減し長寿命化を図ることができる。
【００９５】
また、本実施形態によれば、過負荷保護装置５０の加熱ヒータ５２と、補助正特性サーミスタ付サーモスイッチ４０のサーモスイッチ４１とを前記した条件を満足するように熱的に結合することができる限りにおいて、既存の過負荷保護装置５０とサーモスイッチ（サーモスイッチ４１）とを接合して構成することができるので、製造コストを削減することもできる。
【００９６】
≪変形例≫
なお、本実施形態に係るサーモスイッチ付過負荷保護装置３０および圧縮機１０は、上記実施形態の構成に限定されるものではなく、発明の趣旨を逸脱しない範囲内で種々の変更が可能である。
【００９７】
図２に示す起動回路１は、抵抗分相起動方式により単相誘導電動機であるモータ１１を起動する起動回路として説明したが、これに限られるものではない。例えば、電源線６ａに起動用コンデンサを配置して、モータ１１の起動時における起動巻線Ｓを流れる電流と運転巻線Ｍを流れる電流との電流位相をずらすことにより固定子（図示せず）に回転磁界を発生させ回転子（図示せず）を回転させるコンデンサ分相起動方式の起動回路としてもよい。
【００９８】
冷媒圧縮機１０は、往復式圧縮機（レシプロ圧縮機）であるものとして説明したが、これに限られるものではない。圧縮要素をモータ１１（電動要素）で駆動する冷媒圧縮機であればよく、例えば、スクロール圧縮機であってもよい。なお、冷媒圧縮機１０がスクロール圧縮機である場合には、固定スクロール（図示せず）と、旋回スクロール（図示せず）と、クランク軸（図示せず）と、クランク軸の回転運動を旋回スクロールの旋回運動に変換する旋回機構（図示せず）と、を有し、クランク軸を回転させて旋回スクロールが固定スクロールに対して旋回することにより、冷媒を圧縮することができるようになっている。
【符号の説明】
【００９９】
１            起動回路
５，６，６ａ，６ｂ  電源線
７，８        接続配線
１０          冷媒圧縮機（圧縮機）
１１          モータ１１（電動要素）
１２          密閉容器（外殻）
２０          正特性サーミスタモジュール
２１          正特性サーミスタ
３０          サーモスイッチ付過負荷保護装置
４０          補助正特性サーミスタ付サーモスイッチ（サーミスタ付サーモスイッチ）
４１          サーモスイッチ
４１ａ        サーモスイッチ素子
４２          補助正特性サーミスタ（サーモスイッチ作動用正特性サーミスタ）
４６          ケース（樹脂ケース）
４６ａ        ケース本体
４６ｂ        蓋体
８０          金属ケース
８０ａ        ケース本体
８０ｂ        蓋体
５０          過負荷保護装置
５１          バイメタルスイッチ
５２          加熱ヒータ
５５          ケース（樹脂ケース）
５５ａ        ケース本体
５５ｂ        蓋体
５５ｃ        平坦部
５５ｄ        突起部
６０          単相交流電源
Ｓ            起動巻線（補助巻線）
Ｍ            運転巻線（主巻線）
【図１】
2015035904.tif 000003
【図２】
2015035904.tif 000004
【図３】
2015035904.tif 000005
【図４】
2015035904.tif 000006
【図５】
2015035904.tif 000007
【図６】
2015035904.tif 000008
【図７】
2015035904.tif 000009
【図８】
2015035904.tif 000010
【図９】
2015035904.tif 000011
【図１０】
2015035904.tif 000012